(57)【特許請求の範囲】
【請求項１】
インバータ装置を内蔵する筐体と、
前記筐体の背面に設けられ前記筐体を壁面から突出する取付具に取付ける板状の取付脚と、
を備えるパワーコンディショナにおいて、
前記取付脚には、取付姿勢において下方に開口部を向け前記取付具が係合するＵ字溝が形成され、
前記開口部には、前記Ｕ字溝の内方へ回動容易であり、前記開口部に設けられた係止部に係止されて前記Ｕ字溝の外方へは回動が規制される開閉部材を備えることを特徴とするパワーコンディショナ。
【請求項２】
前記開閉部材は、一端が前記開口部の一側部に固着され、他端が他側部に設けられた係止部に係止される板バネであることを特徴とする請求項１に記載のパワーコンディショナ。
【請求項３】
前記板バネの前記開口部に臨む部分が、前記Ｕ字溝の内方に向かって凸となる湾曲部となっていることを特徴とする請求項２に記載のパワーコンディショナ。
【請求項４】
前記板バネは、一端が前記開口部の一側部に前記Ｕ字溝の軸線に対して傾斜して固着され、他端が前記Ｕ字溝の他側部に当接し、該他側部が前記係止部となっていることを特徴とする請求項２に記載のパワーコンディショナ。
【請求項５】
前記開閉部材は、一片が前記開口部の一側部に固着され、他片の縁部が他側部に設けられた係止部に係止される蝶番であることを特徴とする請求項１に記載のパワーコンディショナ。
【請求項６】
前記開閉部材は、一端が前記開口部の一側部及び他側部に夫々回動可能に支持され、他端が前記開口部の中央部で互いに近接する２つのバーで構成されていることを特徴とする請求項１に記載のパワーコンディショナ。
【発明の詳細な説明】
【技術分野】
【０００１】
本発明は、太陽電池の架台や建物の外壁に取付けられる壁掛型のパワーコンディショナに関する。
【背景技術】
【０００２】
従来、壁面に固着されて壁面に当着する台座部と該台座部より大きな筒型の頭部とを備える取付器具と係合可能な取付部が筐体背面に配設され、前記取付部には前記取付器具の前記頭部を収納するための空間を有するとともに該空間の取付壁に面した壁面には前記台座部より大きく前記頭部より小さな幅の溝部と該溝部に連続して前記取付器具の頭部が挿入できる開口部とが形成された壁面取付型電子機器の筐体構造が開示されている（例えば、特許文献１参照）。
【先行技術文献】
【特許文献】
【０００３】
【特許文献１】特開平０８−２５６１９８号公報
【発明の概要】
【発明が解決しようとする課題】
【０００４】
しかしながら、上記従来の技術によれば、地震の縦揺れにより、電子機器（例えば、太陽電池のパワーコンディショナ）が取付器具に対して上方へ変位し、取付器具の頭部が電子機器の取付部の溝部から開口部に移動し、開口部が頭部から抜けて電子機器が落下する恐れがある、という問題がある。
【０００５】
本発明は、上記に鑑みてなされたものであって、壁面に取付け易く、かつ、地震の揺れがあっても壁面から外れて落下する恐れのない太陽電池のパワーコンディショナを得ることを目的とする。
【課題を解決するための手段】
【０００６】
上述した課題を解決し、目的を達成するために、本発明は、インバータ装置を内蔵する筐体と、前記筐体の背面に設けられ前記筐体を壁面から突出する取付具に取付ける板状の取付脚と、を備えるパワーコンディショナにおいて、前記取付脚には、取付姿勢において下方に開口部を向け前記取付具が係合するＵ字溝が形成され、前記開口部には、前記Ｕ字溝の内方へ回動容易であり、前記開口部に設けられた係止部に係止されて前記Ｕ字溝の外方へは回動が規制される開閉部材を備えることを特徴とする。
【発明の効果】
【０００７】
本発明に係るパワーコンディショナは、壁面に取付け易く、かつ、地震の揺れがあっても壁面から外れて落下する恐れはない。
【図面の簡単な説明】
【０００８】
【図１】図１は、本発明に係るパワーコンディショナの正面図である。
【図２】図２は、本発明に係るパワーコンディショナの実施の形態１の取付脚を示す正面図である。
【図３】図３は、本発明に係るパワーコンディショナの実施の形態２の取付脚を示す正面図である。
【図４】図４は、本発明に係るパワーコンディショナの実施の形態３の取付脚を示す正面図である。
【図５】図５は、本発明に係るパワーコンディショナの実施の形態４の取付脚を示す正面図である。
【図６】図６は、本発明に係るパワーコンディショナの実施の形態５の取付脚を示す正面図である。
【発明を実施するための形態】
【０００９】
以下に、本発明にかかるパワーコンディショナの実施の形態を図面に基づいて詳細に説明する。なお、この実施の形態によりこの発明が限定されるものではない。
【００１０】
実施の形態１．
図１は、本発明に係るパワーコンディショナの正面図であり、図２は、本発明に係るパワーコンディショナの実施の形態１の取付脚を示す正面図である。図１及び図２に示すように、実施の形態１のパワーコンディショナ９１は、太陽電池で発電された直流電力を交流電力に変換するインバータ装置であり、正面に扉８１を有する直方体の筐体８０を備えている。インバータ装置は、筐体８０に内蔵されている。パワーコンディショナ９１は、筐体８０の背面の角部に設けられた板状の取付脚１０を、建物の壁面から突出する取付具としてのボルト（又はネジ）７０に係合させ、壁に取付けられる。
【００１１】
図２に示すように、実施の形態１の取付脚１０には、壁に取付けられる取付姿勢において、下方に開口部１５を向け、ボルト７０が係合するＵ字溝１１が形成されている。Ｕ字溝１１の開口部１５の一側部１２には、開閉部材としての平板状の板バネ１７の一端が、ネジ、溶接等により固着され、板バネ１７により開口部１５を塞いでいる。
【００１２】
Ｕ字溝１１の開口部１５の他側部１３には、開口部１５へ突出する係止部１４が設けられ、板バネ１７の他端が係止され、板バネ１７が開口部１５の外側へ撓んで回動するのを規制している。なお、Ｕ字溝１１の開口部１５の他側部１３に板バネ１７の一端を固着し、開口部１５の一側部１２に開口部１５へ突出する係止部を設けてもよい。
【００１３】
パワーコンディショナ９１を建物の壁に取付けるときは、壁面から突出するボルト７０の上方に取付脚１０の開口部１５を位置させ、パワーコンディショナ９１を下方に移動させる。ボルト７０が、板バネ１７に当接すると、板バネ１７が、容易にＵ字溝１１の内方へ撓んで回動する。ボルト７０は、Ｕ字溝１１内に進入し、Ｕ字溝１１の上端に当接してパワーコンディショナ９１を支持する。
【００１４】
地震発生時に、パワーコンディショナ９１が上方へ突き上げられ、ボルト７０がＵ字溝１１の開口部１５から抜け出そうとすると、板バネ１７が取付脚１０の係止部１４に規制されてＵ字溝１１の開口部１５を閉じるので、ボルト７０は、Ｕ字溝１１から抜け出し難く、パワーコンディショナ９１がボルト７０から外れて落下することはない。係止部１４の突出量を大きくすれば、ボルト１７は、さらに抜け出し難くなる。パワーコンディショナ９１を壁から取外すときは、板バネ１７の他端をＵ字溝１１内に押込んで開口部１５を開き、ボルト７０を開口部１５からＵ字溝１１外へ抜き出す。
【００１５】
実施の形態２．
図３は、本発明に係るパワーコンディショナの実施の形態２の取付脚を示す正面図である。図３に示すように、実施の形態２のパワーコンディショナ９２が実施の形態１のパワーコンディショナ９１と異なるところは、板バネ２７のＵ字溝１１の開口部１５に臨む部分が、Ｕ字溝１１の内方に向かって凸となる湾曲部２７ａとなっていることである。板バネ２７の形状以外は、実施の形態１のパワーコンディショナ９１と異なるところはない。
【００１６】
Ｕ字溝１１の内方に向かって凸となる湾曲部２７ａを設けることにより、Ｕ字溝１１の開口幅を狭くしなくても、ボルト７０がＵ字溝１１から外れ難くなっている。ボルト７０を外すためには、湾曲部２７ａを下方に撓ませる力と、湾曲部２７ａを圧縮変形させる力が必要となる。それ故、係止部１４の突出量が少なくても、ボルト７０は、実施の形態１のパワーコンディショナ９１よりも外れ難くい。
【００１７】
実施の形態３．
図４は、本発明に係るパワーコンディショナの実施の形態３の取付脚を示す正面図である。図４に示すように、実施の形態３のパワーコンディショナ９３は、Ｕ字溝１１の開口部１５の一側部１２に、平板状の板バネ３７が、Ｕ字溝１１の軸線に対して傾斜して固着されている。板バネ３７の他端は、Ｕ字溝１１内に斜めに延び、他側部１３に当接して開口部１５を塞いでいる。他側部１３が、板バネ３７の反時計回りの回動を規制する係止部となっている。
【００１８】
Ｕ字溝１１の開口幅に対して、板バネ３７の有効長Ｌが長くなっていて、ボルト７０（図２参照）をＵ字溝１１から外そうとすると、板バネ３７は、支点Ｐを中心に反時計回りに回動しようとするが、Ｕ字溝１１の開口幅が板バネ３７の有効長Ｌより狭いので、ボルト７０が外れるためには、板バネ３７を圧縮変形させる力が必要となる。それ故、実施の形態１のパワーコンディショナ９１のような係止部１４がなくても、ボルト７０は外れ難くい。実施の形態３のパワーコンディショナ９３は、Ｕ字溝１１の開口部１５に係止部１４がないので、取付施工性が向上している。
【００１９】
実施の形態４．
図５は、本発明に係るパワーコンディショナの実施の形態４の取付脚を示す正面図である。図５に示すように、実施の形態４のパワーコンディショナ９４の取付脚１０には、壁に取付けられる取付姿勢において、下方に開口部１５を向け、ボルト７０（図２参照）が係合するＵ字溝１１が形成されている。Ｕ字溝１１の開口部１５の一側部１２には、開閉部材としての蝶番４７の一片が、ネジ、溶接等により固着され、蝶番４７により開口部１５を塞いでいる。
【００２０】
Ｕ字溝１１の開口部１５の他側部１３には、開口部１５へ突出する係止部１４が設けられ、蝶番４７の他片の縁部が係止され、蝶番４７の他片が、支軸Ｐ回りに、開口部１５の外側へ回動するのを規制している。なお、Ｕ字溝１１の開口部１５の他側部１３に蝶番４７の一片を固着し、開口部１５の一側部１２に開口部１５へ突出する係止部を設けてもよい。
【００２１】
パワーコンディショナ９４を建物の壁に取付けるときは、壁面から突出するボルト７０（図２参照）の上方に取付脚１０の開口部１５を位置させ、パワーコンディショナ９４を下方に移動させる。ボルト７０が、蝶番４７の他片に当接すると、他片が、容易にＵ字溝１１の内方へ回動する。ボルト７０は、Ｕ字溝１１内に進入し、Ｕ字溝１１の上端に当接してパワーコンディショナ９４を支持する。ボルト７０の進入時、蝶番４７の他片は、Ｕ字溝１１内の突起１６に当たり、９０°以上回動することはなく、ボルト７０の進入後は、蝶番４７の他片の自重により、反時計回りに回動し、係止部１４に当接して開口部１５を塞ぐ。
【００２２】
地震発生時に、パワーコンディショナ９４が上方へ突き上げられ、ボルト７０がＵ字溝１１の開口部１５から抜け出そうとすると、蝶番４７の他片が取付脚１０の係止部１４に規制されてＵ字溝１１の開口部１５を閉じるので、ボルト７０は、Ｕ字溝１１から抜け出すことができず、パワーコンディショナ９４がボルト７０から外れて落下することはない。パワーコンディショナ９４を壁から取外すときは、蝶番４７の他片をＵ字溝１１内に押込んで開口部１５を開き、ボルト７０を開口部１５からＵ字溝１１外へ抜き出す。
【００２３】
実施の形態５．
図６は、本発明に係るパワーコンディショナの実施の形態５の取付脚を示す正面図である。図６に示すように、実施の形態５のパワーコンディショナ９５の取付脚１０には、壁に取付けられる取付姿勢において、下方に開口部１５を向け、ボルト７０（図２参照）が係合するＵ字溝１１が形成されている。Ｕ字溝１１の開口部１５の一側部１２及び他側部１３には、開閉部材としての夫々のバー５７の一端が、支軸Ｐにより、夫々、回動可能に支持されている。夫々のバー５７の他端は、開口部１５の中央部で互いに近接し、２つのバー５７により開口部１５を塞いでいる。
【００２４】
Ｕ字溝１１の開口部１５の一側部１２及び他側部１３には、夫々、係止部５４が設けられ、夫々のバー５７の中間部が係止され、バー５７が開口部１５の外側へ回動するのを規制している。
【００２５】
パワーコンディショナ９５を建物の壁に取付けるときは、壁面から突出するボルト７０（図２参照）の上方に取付脚１０の開口部１５を位置させ、パワーコンディショナ９５を下方に移動させる。ボルト７０が、２つのバー５７に当接すると、２つのバー５７が、容易にＵ字溝１１の内方へ回動する。ボルト７０は、Ｕ字溝１１内に進入し、Ｕ字溝１１の上端に当接してパワーコンディショナ９５を支持する。ボルト７０の進入時、バー５７の他端の曲げ部５７ａが、Ｕ字溝１１の側壁に当たり、９０°以上回動することはなく、ボルト７０の進入後は、バー５７の自重により、夫々、反時計回り、時計回りに回動し、係止部５４に当接して開口部１５を塞ぐ。
【００２６】
地震発生時に、パワーコンディショナ９５が上方へ突き上げられ、ボルト７０がＵ字溝１１の開口部１５から抜け出そうとすると、バー５７が取付脚１０の係止部５４に規制されてＵ字溝１１の開口部１５を閉じるので、ボルト７０は、Ｕ字溝１１から抜け出すことができず、パワーコンディショナ９５がボルト７０から外れて落下することはない。パワーコンディショナ９５を壁から取外すときは、バー５７をＵ字溝１１内に押込んで開口部１５を開き、ボルト７０を開口部１５からＵ字溝１１外へ抜き出す。
【００２７】
バー５７を２つ用いることにより、バー５７の回動スペースを小さくすることができ、取付脚１０の縦方向の寸法を小さくすることができる。また、バー５７の他端の巾を細くすることにより、バー５７の曲げ部５７ａがＵ字溝１１の側壁に当たっているときのボルト７０が通る開口幅を大きくすることができる。
【符号の説明】
【００２８】
１０  取付脚
１１  Ｕ字溝
１２  一側部
１３  他側部
１４、５４  係止部
１５  開口部
１６  突起
１７、２７、３７  板バネ（開閉部材）
２７ａ  湾曲部
４７  蝶番（開閉部材）
５７  バー（開閉部材）
５７ａ  曲げ部
７０  ボルト（取付具）
８１  扉
９１、９２、９３、９４、９５  パワーコンディショナ
【図１】
0005502031.tif 000002
【図２】
0005502031.tif 000003
【図３】
0005502031.tif 000004
【図４】
0005502031.tif 000005
【図５】
0005502031.tif 000006
【図６】
0005502031.tif 000007